(57)【特許請求の範囲】
【請求項１】
紙容器の開口部に液密に溶着ないし接着される取付面が外周に設けられているフランジ
部と、該フランジ部の内周端に破断可能な複数のブリッジを介して連結されている台座部
と該台座部の上部内周側から立設させた注出筒とからなる注出筒本体と、該台座部の下端
面及び前記フランジ部の下端面に弱溶着ないし弱接着されて前記複数のブリッジ間の空間
部を液密に塞ぐリング状部材とからなり、
前記リング状部材は、前記注出筒本体及びフランジ部とは異材料から形成されてなり、
前記複数のブリッジを破断すると共に、前記台座部または前記フランジ部から前記リング
状部材を離脱させて、前記紙容器から少なくとも前記注出筒本体を除去可能としたことを
特徴とする紙容器用注出具。
【請求項２】
前記リング状部材における前記台座部の下端面との溶着ないし接着面の面積（Ｓ１）は
、前記フランジ部の下端面との溶着ないし接着面の面積（Ｓ２）よりも大（Ｓ１＞Ｓ２）
に設定され、前記リング状部材と前記台座部との溶着ないし接着力を前記フランジ部との
接着力よりも大とされており、前記複数のブリッジを破断すると共に前記フランジ部の下
端面から前記リング状部材を離脱させて、前記紙容器から前記注出筒本体及び前記リング
状部材を除去可能とした請求項１記載の紙容器用注出具。
【請求項３】
前記フランジ部の内周端と前記台座部の下端部との間に幅広連結部を設けると共に、該
幅広連結部に隣接した前記フランジ部に径方向内周端から外周端にかけて破断可能な弱化
部を設けてなり、前記複数のブリッジを破断すると共に前記弱化部を破断させることによ
り、前記フランジ部を前記紙容器の開口部から離脱させて、前記紙容器から前記注出筒本
体、前記リング状部材及び前記フランジ部を除去可能とした請求項１または２記載の紙容
器用注出具。
【請求項４】
前記台座部の上部外周端に複数の紙容器開口端部仮止め爪を設けた請求項１ないし３の
いずれかに記載の紙容器用注出具。
【発明の詳細な説明】
【技術分野】
【０００１】
本発明は、紙容器の開口部に液密に溶着ないし接着される紙容器用注出具に関し、より詳しくは、使用後の紙容器から注出具部分を除去し易い形状にすることにより、廃棄時に分別収集に寄与し得る紙容器用注出具に関する。
【背景技術】
【０００２】
従来、各種乳製品、ジュース類、酒類の容器として、紙容器が使用されることが多い。
この紙容器の上部には液状の内容物の注出具として、加工性やコスト面から合成樹脂製の
ものが付設されている。このため、紙容器使用後の廃棄に関しては、そのまま捨てられて
焼却処分されるか、紙容器と合成樹脂製の注出具とをハサミなどを利用して分離し紙容器
が紙資源として回収され再利用されるか、のいずれかの方法により処分されている。紙容
器は、再生されて再利用されるのが望ましいが、紙容器に付設された合成樹脂製注出具は
溶着ないし接着により強固に取り付けられているために、分離するのが容易でなく、紙資
源として回収されずに、その多くがそのまま捨てられているのが現状である。このような
状況を踏まえて、紙容器と合成樹脂製の注出具とを、手指のみで容易に分離出来る紙容器
用注出具として、下記のものが提案されている。
【特許文献１】特許第３８５５１７９号公報
【０００３】
この特許文献１に係る紙容器用注出具は、図１０に示すように、紙容器５０の開口部５１に液密に溶着ないし接着される取付部５２が外周に設けられているフランジ部５３を有すると共に、該フランジ部５３の内周端から起立した注出筒５４を有してなり、この注出筒５４に破断可能な直線状弱化部５５を注出筒５４上端から下端まで設けると共に、注出筒５４の下端部に破断可能な横溝５６を設けてなるものである。これにより、手指にて注出筒５４の直線状弱化部５５を破断し、続いて横溝５６を破断することにより、注出筒５４を紙容器５０から容易に除去出来るようにしたものである。
【発明の開示】
【発明が解決しようとする課題】
【０００４】
しかしながら、上記特許文献１の紙容器用注出具は、その合成樹脂製の注出筒５４部分
が紙容器５０から除去出来るものの、手指で弱化部及び横溝を容易に破断することは非常に困難である。例えば、小径の注出筒の場合、指を注出筒内に入れにくく、しっかりとつまむ事自体が難しい。その他、破断し易さを考慮した場合、弱化部及び横溝の薄肉部分をそれ相応の厚みにする必要が生じるが、今度は超音波溶着による薄肉部のピンホール発生という別の懸念事項も配慮しなければならず、両者のバランスを維持する事は非常に難しいのである。また、合成樹脂製のフランジ部５３が全て紙容器５０側に残り、合成樹脂製の注出筒５４部分のみを除去しただけでは、紙と合成樹脂という異種材料の分離としては不十分である。したがって、このままでは紙容器の紙資源として回収され、再利用されることは難しくなる虞がある。さらに、紙容器５０の開口部５１に紙容器用注出具を取り付けるのに超音波溶着を採用すると、前記横溝５６を変形せしめ、液密性に難が発生する虞がある。
【０００５】
そこで、本発明の目的は、注出具付の紙容器における紙資源としての回収に際して、ハ
サミなどの道具を使用する煩わしさを無くし、紙容器から注出具の除去回収を容易にして
、分別回収に寄与し、且つ液密性にもすぐれた紙容器用注出具を提供することにある。
【課題を解決するための手段】
【０００６】
本発明は、上記目的を達成するために提案されたものであって、下記の構成からなるこ
とを特徴とするものである。
すなわち、本発明によれば、紙容器の開口部に液密に溶着ないし接着される取付面が外
周に設けられているフランジ部と、該フランジ部の内周端に破断可能な複数のブリッジを
介して連結されている台座部と該台座部の上部内周側から立設させた注出筒とからなる注
出筒本体と、該台座部の下端面及び前記フランジ部の下端面に弱溶着ないし弱接着されて
前記複数のブリッジ間の空間部を液密に塞ぐリング状部材とからなり、前記リング状部材
は、前記注出筒本体及びフランジ部とは異材料から形成されてなり、前記複数のブリッジ
を破断すると共に、前記台座部または前記フランジ部から前記リング状部材を離脱させて
、前記紙容器から少なくとも前記注出筒本体を除去可能としたことを特徴とする紙容器用
注出具が提供される。
【０００７】
また、本発明によれば、前記リング状部材における前記台座部の下端面との溶着ないし
接着面の面積（Ｓ１）は、前記フランジ部の下端面との溶着ないし接着面の面積（Ｓ２）
よりも大（Ｓ１＞Ｓ２）に設定され、前記リング状部材と前記台座部との溶着ないし接着
力を前記フランジ部との接着力よりも大とされており、前記複数のブリッジを破断すると
共に前記フランジ部の下端面から前記リング状部材を離脱させて、前記紙容器から前記注
出筒本体及び前記リング状部材を除去可能とした紙容器用注出具が提供される。
【０００８】
また、本発明によれば、前記フランジ部の内周端と前記台座部の下端部との間に幅広連
結部を設けると共に、該幅広連結部に隣接した前記フランジ部に径方向内周端から外周端
にかけて破断可能な弱化部を設けてなり、前記複数のブリッジを破断すると共に前記弱化
部を破断させることにより、前記フランジ部を前記紙容器の開口部から離脱させて、前記
紙容器から前記注出筒本体、前記リング状部材及び前記フランジ部を除去可能とした紙容
器用注出具が提供される。
【０００９】
また、本発明によれば、前記台座部の上部外周端に複数の紙容器開口端部仮止め爪を設
けた紙容器用注出具が提供される。
【発明の効果】
【００１０】
本発明の紙容器用注出具は、手指にて注出筒をつかみ力を与えて複数のブリッジを破断
すれば、紙容器から少なくとも注出筒本体を除去でき、加えて、除去される注出筒本体に
連なって、フランジ部に弱溶着ないし弱接着されているリング状部材も除去できるようになっている。したがって、注出具付の紙容器の紙資源としての回収に際して、特にハサミなどの道具を使用する煩わしさを無くして回収自体を促進させ、且つ紙容器に溶着ないし接着されるフランジ部の取付部を除く注出具をほぼ除去できるため、紙以外の異種材料の混入を出来るだけ押さえ再利用され得る効果があり、さらに分別収集に基づく破断のための弱化部や溝部が無いから、これらに対する超音波溶着の際に変形する虞もなく、液密性に難が生じない効果もある。
【００１１】
また、本発明の紙容器用注出具は、リング状部材と台座部との溶着ないし接着力が、フ
ランジ部との接着力よりも大であるから、複数のブリッジを破断すると共にフランジ部の
下端面からリング状部材を離脱させて、紙容器から注出筒本体及びリング状部材を除去す
ることができる。したがって、上記の効果に加えて、紙容器から注出筒本体は無論、リング状部材も確実に除去出来る効果がある。
【００１２】
また、本発明の紙容器用注出具は、手指にて注出筒をつかみ力を与えて複数のブリッジ
を破断し、さらに、幅広連結部を介してフランジ部の弱化部を破断させることにより、フ
ランジ部も紙容器の開口部から離脱させて、紙容器から注出筒本体、リング状部材及びフ
ランジ部を除去することができる。したがって、上記の効果に加えて、紙容器に溶着ないし接着されている注出具の全てを除去できるから、紙以外の異種材料の混入を完全に押さえ、再利用され得る効果がある。
【００１３】
また、本発明の紙容器用注出具は、紙容器の開口部にその注出筒が下から通され、さらに、台座部にある複数の紙容器開口端部仮止め爪が開口部を乗り越えさせられて、紙容器の開口部に仮止めされ、その状態でフランジ部の取付面が開口部に液密に溶着ないし接着されるために、上記の効果に加えて、紙容器用注出具が紙容器の開口部に容易に取り付け
られる効果がある。
【発明を実施するための最良の形態】
【００１４】
以下に、図面を参照して本発明を実施するための最良の形態を説明する。
【実施例１】
【００１５】
図１は本発明の実施の形態を示す紙容器用注出具を紙容器に取り付け、キャップを装着した状態の断面図、図２はキャップを外した状態の紙容器用注出具の斜視図、図３はリング状部材を取り付ける前の紙容器用注出具の底面図、図４はリング状部材を取り付けた後の紙容器用注出具の底面図、図５は紙容器に紙容器用注出具（キャップ付）を取り付けた状態の斜視図である。
これらの図面において、紙容器用注出具１は、紙容器２の開口部３に液密に溶着ないし接着される取付面４が外周に設けられているフランジ部５と、このフランジ部５の内周端に破断可能な複数のブリッジ６を介して連結されている台座部７とこの台座部７の上部内周側から立設させた注出筒８とからなる注出筒本体９と、台座部７の下端面及びフランジ部５の下端面に弱溶着ないし弱接着されて複数のブリッジ６間の空間部１０を液密に塞ぐリング状部材１１とからなり、このリング状部材１１は注出筒本体９及びフランジ部５とは異材料から形成されてなり、複数のブリッジ６を破断すると共に、台座部７またはフランジ部５からリング状部材１１を離脱させて、紙容器２から少なくとも注出筒本体９を除去可能としたものである。
【００１６】
前記紙容器２としては、各種乳製品、ジュース類、酒類などの液状の内容物を充填出来るものであり、且つその開口部３に紙容器用注出具１の取付面４が液密に溶着ないし接着され得るものであれば、形状などに特に限定がない。紙容器２は、上記液状の内容物を充填するため、少なくとも内面にこれに耐えうるための処置、例えば、樹脂コーティングなどが施されている。
【００１７】
前記注出筒本体９は、既述のとおり、台座部７とこの台座部７の上部内周側から立設した注出筒８とからなり、この注出筒８には、その外周面に螺条２０が刻設されてキャップ２１が螺着脱自在となっている。この注出筒８には底板２２が設けられ、その底板２２には開封予定部２３があり、この開封予定部２３はスコア２４により囲まれ、破断除去可能な部位である。この開封予定部２３に設けたスコア引裂用タブ２５に手指を掛けて引っ張り、スコア２４を破断すれば開封予定部２３を除去、すなわち、開封することが出来る。なお、開封後のシールは、キャップ２１に設けたインナーリング２６と注出筒８の上端部内周面とが嵌合することによりなされる。
【００１８】
一方、前記フランジ部５は、その上面が紙容器２の開口部３に液密に溶着ないし接着される前記取付面４となり、さらに、その内周端が破断可能な複数のブリッジ６を介して前記注出筒本体９の台座部７に連結されている。したがって、複数のブリッジ６間に空間部１０が生じ、この空間部１０は、フランジ部５と前記台座部７との間に渡され、弱溶着ないし弱接着された前記リング状部材１１によって塞がれている。すなわち、フランジ部５の下端面の内周側に環状段差部３０が形成され、さらに、台座部７の下端面の外周側に幅広環状段差部３１が形成されて、これら環状段差部３０及び幅広環状段差部３１にリング状部材１１が嵌められた状態で、弱溶着ないし弱接着され液密とされる。
【００１９】
この紙容器用注出具１は、以下のような２色成形により作製される。まず、金型にて複
数のブリッジ６を含んでフランジ部５と注出筒本体９とを、例えば、ポリエチレン樹脂に
て射出成形し、その後、リング状部材１１に相当する空間を金型をずらし移動することで
形成して、その空間に異材料の樹脂、例えば、エチレン−酢酸ビニル共重合体（ＥＶＡ）
などのポリエチレン樹脂より軟質な材料を供給することで、リング状部材１１を射出成形
するものである。
【００２０】
なお、リング状部材１１が上記したフランジ部５の環状段差部３０及び注出筒本体９の幅広環状段差部３１に弱溶着ないし弱接着されることは、フランジ部５及び注出筒本体９の材料であるポリエチレン樹脂に対して強接着し難いエチレン−酢酸ビニル共重合体（ＥＶＡ）という異材料が採用されることにより実現される。また、紙容器２の開口部３に紙容器用注出具１を取り付ける際、紙容器２とフランジ部５とを超音波溶着によって強固に接着する必要があるが、リング状部材１１がＥＶＡなどの軟質材料であると、超音波溶着時に生じる振動を吸収し易く、紙容器用注出具１内にある諸々の脆弱な部分の変形を緩和して、開封予定部２３の周りに設けられるスコア２４のような薄肉部へのピンホールなどの発生を防ぎ、液密性を保持することが出来ることになる。リング状部材１１の材料については、上記種類に限定される訳ではなく、フランジ部５及び注出筒本体９の材料に対して、軟質且つ弱溶着ないし弱接着する異材料であれば、何を使用しても構わない。
【００２１】
上記のように作製されたリング状部材１１は、注出筒本体９の台座部７における下端面
の面積、すなわち、幅広環状段差部３１との弱溶着ないし弱接着面の面積（Ｓ１）は、フランジ部５の下端面の面積、すなわち、環状段差部３０との弱溶着ないし弱接着面の面積（Ｓ２）よりも大（Ｓ１＞Ｓ２）に設定され、リング状部材１１と台座部７との溶着ないし接着力をフランジ部５との溶着ないし接着力よりも大とされている。
【００２２】
したがって、紙容器２使用後の廃棄の際、手指にて注出筒８をつかみ力を与えて複数の
ブリッジ６を破断すれば、リング状部材１１は注出筒本体９の台座部７との溶着ないし接
着力が大であるから、注出筒本体９側に連なってリング状部材１１がフランジ部５の環状段差部３０から離脱して、紙容器２から注出筒本体９およびリング状部材１１をも確実に除去することが出来る。
【００２３】
そして、前記注出筒本体９の台座部７における上部外周端には、複数（この例では４本
）の紙容器開口端部仮止め爪３２が設けられている。この紙容器開口端部仮止め爪３２は
、紙容器２の開口部３に紙容器用注出具１を液密に溶着ないし接着するのを容易にするた
めのものである。すなわち、紙容器２の開口部３に紙容器用注出具１の注出筒８が通され
、さらに、台座部７にある４本の紙容器開口端部仮止め爪３２が乗り越えさせられて、こ
の紙容器開口端部仮止め爪３２により開口部３に仮止めされ、その状態でフランジ部５の
取付面４が開口部３に液密に溶着ないし接着される。
【００２４】
次に、図面を参照して、上記構成になる紙容器用注出具１の使用について説明する。
まず、紙容器２の開口部３に紙容器用注出具１を上述の紙容器開口端部仮止め爪３２に
より仮止めして、超音波溶着する。その際生じる振動を、リング状部材１１にＥＶＡなど
の軟質材料を採用することで吸収し、紙容器用注出具１の注出筒８の底板２２にあるスコ
ア２４などへの変形を緩和して、ピンホールなどの発生を防ぎ、液密性を保持する。その
後、図５の紙容器２内に収容されている各種乳製品、ジュース類、酒類などの液状の内容
物を利用するには、紙容器用注出具１に装着していたキャップ２１を螺脱し（図６参照）
、スコア引裂用タブ２５に手指を掛けて引っ張り、スコア２４を破断して開封予定部２３
を除去して開封し（図７参照）、紙容器用注出具１の注出筒８から液状内容物を他の容器に注ぐという通常の使用形態に供される。
【００２５】
紙容器２の液状内容物を全て消費し終わったら、注出筒８を手指でつかみ力を与えて複
数のブリッジ６を破断すれば、リング状部材１１は注出筒本体９に連なってフランジ部５
の環状段差部３０から離脱して、紙容器２から注出筒本体９とともにリング状部材１１も確実に除去出来て（図８参照）、除去後の紙容器２を紙資源回収処分に付せばよい。
【実施例２】
【００２６】
図９は本発明の他の実施形態を示す紙容器用注出具１Ａを示し、この紙容器用注出具１
Ａと図１ないし図８に示す紙容器用注出具１との相違点は、フランジ部５の内周端と台座部７の下端部との間に幅広連結部３３を設けると共に、この幅広連結部３３に隣接したフランジ部５に径方向内周端から外周端にかけて破断可能な弱化部３４を設けた点にある。これにより、手指にて注出筒８をつかみ力を与えて複数のブリッジ６を破断し、さらに、幅広連結部３３を介してフランジ部５の弱化部３４を破断させることにより、フランジ部５も紙容器２の開口部４から離脱させて、紙容器２から注出筒本体９、リング状部材１１及びフランジ部５の紙容器用注出具１全てを除去することが出来、紙以外の異種材料の混入を完全に押さえ、良好に再利用することが出来る。その他の構成、作用は図１ないし図８に示す紙容器用注出具１と同じなので、その詳細な説明を省略する。
【００２７】
以上、本発明の実施例１、２について説明したが、具体的な構成はこれに限定されず、本発明の要旨を逸脱しない範囲での変更は適宜可能であることは理解されるべきである。
【産業上の利用可能性】
【００２８】
本発明の紙容器用注出具は、注出具付の紙容器における紙資源としての回収に際して、
紙以外の異種材料である合成樹脂などの混入を出来るだけ押さえ、しかもハサミなどの道
具を使用する煩わしさから開放して、資源回収自体を促進させることができる点に極めて
高い利用可能性がある。
【図面の簡単な説明】
【００２９】
【図１】本発明の実施例１に示した実施の形態を示す紙容器用注出具を紙容器に取り付けキャップを装着した状態の断面図である。
【図２】図１の注出具のキャップを外した状態の紙容器用注出具の斜視図である。
【図３】同じく、リング状部材を取り付ける前の紙容器用注出具の裏面図である。
【図４】同じく、リング状部材を取り付けた後の紙容器用注出具の裏面図である。
【図５】実施例１に示した紙容器に紙容器用注出具（キャップ付）を取り付けた状態の斜視図である。
【図６】同じく、紙容器の利用状態を示す斜視図である。
【図７】同じく、紙容器の利用状態を示す斜視図である。
【図８】実施例１に示した紙容器から注出具を除去する状態の斜視図である。
【図９】実施例２に示した実施形態を示す紙容器用注出具の斜視図である。
【図１０】特許文献１に示された紙容器用注出具の側断面図である。
【符号の説明】
【００３０】
１、１Ａ                  紙容器用注出具
２、５０                  紙容器
３、５１                  開口部
４                        取付面
５、５３                  フランジ部
６                        ブリッジ
７                        台座部
８、５４                  注出筒
９                        注出筒本体
１０                      空間部
１１                      リング状部材
２０                      螺条
２１                      キャップ
２２                      底板
２３                      開封予定部
２４                      スコア
２５                      スコア引裂用タブ
２６                      インナーリング
３０                      環状段差部
３１                      幅広環状段差部
３２                      紙容器開口端部仮止め爪
３３                      幅広連結部
３４                      弱化部
５２                      取付部
５５                      直線状弱化部
５６                      横溝
【図１】
0005036606.tif 000002
【図２】
0005036606.tif 000003
【図３】
0005036606.tif 000004
【図４】
0005036606.tif 000005
【図５】
0005036606.tif 000006
【図６】
0005036606.tif 000007
【図７】
0005036606.tif 000008
【図８】
0005036606.tif 000009
【図９】
0005036606.tif 000010
【図１０】
0005036606.tif 000011